(57)【要約】      （修正有）【課題】粘着剤の保護としての役割をする台紙を破棄することなく、もう一度再利用して資源の有効活用する配送票およびその印字貼付方法を提供する。【解決手段】    台紙２にラベル３が剥離可能に仮着された配送票１であって、前記ラベル３の内方を非粘着とするとともに、周縁部分の一部に差込口８を形成し、周縁部分の残余部分に粘着剤５を設けたことを特徴とする配送票１である。【選択図】    図１
2006039427.tif 000002
【特許請求の範囲】
【請求項１】
台紙にラベルが剥離可能に仮着された配送票であって、
前記ラベルは多角形または円形の形状を有し、前記ラベルの内方を非粘着とするとともに、周縁部分の一部に差込口を形成し、周縁部分の残余部分に粘着剤を設けたことを特徴とする配送票。
【請求項２】
前記ラベルは、少なくとも送り先欄を有する配送表示ラベルであり、前記台紙に前記送り先欄の送り先に対応する納品書欄を設けた納品表示片であることを特徴とする請求項１記載の配送票。
【請求項３】
前記ラベルの前記差込口には、非粘着または粘着微球体を形成したことを特徴とする請求項１記載の配送票。
【請求項４】
台紙にラベルが剥離可能に仮着された配送票であって、前記ラベルは多角形または円形の形状を有し、前記ラベルの内方を非粘着とするとともに、周縁部分の一部に差込口を形成し、周縁部分の残余部分に粘着剤を設け、
前記ラベルに送り先を印字した配送表示ラベルとするラベル印字工程と、
前記台紙に納品内容を印字した納品表示片とする台紙印字工程と、
前記配送表示ラベルを納品表示片から剥離して前記配送表示ラベルを梱包体に貼付する貼付工程と、
前記納品表示片を折って前記差込口から挿入する差込工程と、
を有することを特徴とする配送票の印字貼付方法。
【請求項５】
前記ラベルの前記差込口には、非粘着または粘着微球体を形成したことを特徴とする請求項４記載の配送票の印字貼付方法。
【発明の詳細な説明】
【技術分野】
【０００１】
本発明は、配送票に関し、特に流通過程において送り先や納品書を印字して荷物に貼付されるとともに収納部を形成した配送票およびその印字貼付方法に関する。
【背景技術】
【０００２】
従来から各種構成の配送伝票などが知られており、例えば、紙などの基材シート
の裏面に粘着剤層と剥離紙とを備えた配送伝票の基材シート表面に、届け先、依
頼主、納品書などの各項目を印字後に、剥離紙を除去して印字された基材シートを梱包体に貼付することが一般的に行われている。
一方、ポケット部を形成して届け先や依頼主を印字した配達票と、納品の内容を印字した納品書を別々に作成して、納品書をポケット部に挿入して送り先に送ることもあるが、配達票と納品書が別々な場所で印字されることから、間違って納品書を挿入することがある。
【０００３】
あるいは、基材シートの表面に届け先、依頼主、納品書などの各項目を印字する部分の届け先、依頼主を印字する部分に裏面に擬似接着層や粘着剤層タックシートを設けてポケットを形成するようにして、その裏面に粘着剤層、剥離紙を備えた配送伝票では、基材シート表面に、届け先、依頼主、納品書などを印字後に、納品書を分離して、届け先、依頼主を印字した部分の裏面の剥離紙を除去して梱包体などの荷に貼付し、分離した納品書をポケット部に挿入することができる構造がある。（例えば、特許文献１）
【特許文献１】特開２００４−５４０７４号
【発明の開示】
【発明が解決しようとする課題】
【０００４】
このような従来の配送伝票は、梱包体に貼付け時に、粘着剤の保護としての役割をする剥離紙を破棄されることから、資源の有効活用されていないという問題がある。また、納品書を異なった送り先に添付するという問題がある。
さらに、ポケット付きの配達伝票は、用紙の量、粘着剤の量が多く使用され、かつ構造が複雑で製造コストが高くなる問題がある。
【０００５】
本発明は、上記問題にかんがみてなされたもので、粘着剤の保護としての役割をする剥離紙を破棄することなく、再利用して資源の有効活用する配送票およびその印字貼付方法を提供する。
また本発明は、納品書を異なった送り先に添付するという間違いを防止する配送票およびその印字貼付方法を提供する。
さらに本発明は、配送票の構造の複雑化を防止する配送票およびその印字貼付方法を提供する。
【課題を解決するための手段】
【０００６】
本発明は、台紙の裏面側に着目したもので、請求項１記載の発明の要旨は、台紙にラベルが剥離可能に仮着された配送票であって、前記ラベルは多角形または円形の形状を有し、前記ラベルの内方を非粘着とするとともに、周縁部分の一部に差込口を形成し、周縁部分の残余部分に粘着剤を設けたことを特徴とする配送票にある。
また、請求項２の発明は、前記ラベルは、少なくとも送り先欄を有する配送表示ラベルであり、前記台紙に前記送り先欄の送り先に対応する納品書欄を設けた納品表示片であることを特徴とする請求項１記載の配送票にある。
また、請求項３の発明は、前記ラベルの前記差込口には、非粘着または粘着微球体を形成したことを特徴とする請求項１記載の配送票にある。
また、請求項４の発明は、台紙にラベルが剥離可能に仮着された配送票であって、前記ラベルは多角形または円形の形状を有し、前記ラベルの内方を非粘着とするとともに、周縁部分の一部に差込口を形成し、周縁部分の残余部分に粘着剤を設け、前記ラベルに送り先を印字した配送表示ラベルとするラベル印字工程と、前記台紙に納品内容を印字した納品表示片とする台紙印字工程と、前記配送表示ラベルを納品表示片から剥離して前記配送表示ラベルを梱包体に貼付する貼付工程と、前記納品表示片を折って前記差込口から挿入する差込工程と、を有することを特徴とする配送票の印字貼付方法にある。
また、請求項５の発明は、前記ラベルの前記差込口には、非粘着または粘着微球体を形成したことを特徴とする請求項４記載の配送票の印字貼付方法にある。
【発明の効果】
【０００７】
本発明は、ラベルに送り先、送り主などの配送情報を印字して、このラベルに塗布した粘着剤を保護する台紙に納品書を印字するようにしたので、台紙を破棄することなく再利用することができ資源の有効活用することができる。
また、配送情報と納品書情報とを、一組の関係で印字することができるので、送り先に対応する納品書を間違うことがないように添付することができる。
さらに、配送票としての簡易な構造なので製造コストを低減することができる。
【発明を実施するための最良の形態】
【０００８】
本発明の実施の形態を図１および図３に基づいて説明する。
図１（ａ）は、配送票の一例を示したラベル面からの平面図であり、同（ｂ）は、配送票の一例を示した台紙面からの平面図であり、図２（ａ）は、配送票の印字した一例を示すラベル面側からの平面図であり、（ｂ）は、配送票の印字した一例を示す台紙面側からの平面図であり、図３は、本発明の配送情報票の使用形態の一例を示した説明図である。  
【０００９】
配送票１は、台紙２にラベル３が剥離可能に仮着されている。台紙２の一方面には、シリコーンなどの剥離剤４が塗布され、他方面には文字、記号やバーコードなどを印字することができる印字面を有している。
ラベル３は、略長方形の形状を有し、一方面に粘着剤５が塗布され台紙２の剥離剤４を塗布された面に剥離可能に仮着されている。また、ラベル３の他方面は、文字、記号やバーコードなどを印字することができる印字面を有している。尚、ラベル３は、紙あるいは合成紙など印字可能な材質を採用することができる。
【００１０】
ラベル３に塗布される粘着剤５は、ラベル３の長辺の両側である長辺縁部６ａ、６ａと、短辺の一方である短辺縁部６ｂに粘着剤５が塗布されている。また、短辺の他方である短辺縁部６ｃおよびラベル３の内方には、非粘着領域を有している。
このように、ラベル３に塗布された粘着剤５は、略コ字状に塗布されることにより、短辺縁部６ｃには差込口８を形成することができる。
このように、略長方形の周縁部分の一部（短辺縁部６ｃ）を非粘着として差込口を形成し、周縁部分の残余部分（長辺縁部６ａ、６ａ、短辺縁部６ｂ）に粘着剤５を設けることができる。
ラベル３の印字面には、予め送り先欄９と送り主欄１０とが印字され、台紙２の印字面には納品書欄１１が印字されてある。ラベル３に印字された送り先欄９には「＜送り先＞」、送り主欄１０には「＜送り主＞」が印字され、台紙２の納品書欄１１には、「＜納品書＞」が印字されてある。
この実施の形態では、予め送り先欄９、送り主欄１０、納品書欄１１が印字されるが、送り先の住所等を印字する時に、印字するようにすることができる。
【００１１】
尚、ラベル３の形状を長方形で説明するが、多角形や円形の形状にすることができる。このような形状において、ラベルの内方を非粘着とするとともに、周縁部分の一部に非粘着にして差込口を形成し、ラベルの周縁部分の残余部分に粘着剤を設けることができる。
また、本実施の形態の配送票は、単葉の台紙２にラベル３が仮着された例で説明するが、帯状台紙に剥離可能に複数のラベル３が所定の間隔に仮着して連続的に形成した配送票の連続体にすることもできる。
【００１２】
配送票１を、図示しない印字装置により、配送票１のラベル３に送り先や送り主などの配送情報を印字することができ、また台紙２の印字面には、送り先に対応する納品する荷の内容などの納品情報を印字することができる。
尚、配送票１を連続的に形成した場合には、ラベル３に送り先や送り主などの配送情報を連続的に印字することができ、また台紙の印字面には、送り先に対応する納品する荷の内容などの納品情報を連続的に印字することができ、印字された後に、ラベル３とラベル３との間の台紙２部分でカットすることができ、効率的に配送票を印字発行することができる。
【００１３】
次に、配送票１の印字貼付方法について図２に基づいて説明する。
図示しない印字装置により、配送票１のラベル３に送り先欄９に対応する送り先情報と、送り主欄１０に対応する送り主情報と、を印字された配送表示ラベル１２と（ラベル印字工程）、台紙２の印字面には、送り先情報に送る荷に対応する納品情報を印字された納品表示片１３（台紙印字工程）とを形成した配送票１４とすることができる。
【００１４】
配送表示ラベル１２の送り先欄９に、印字の一例として「東京都○○区△△１  株式会社○○○」として印字され、送り主欄１０には、「岩手県○○市２３４  株式会社□□□」として印字されている。また、配送票１４の管理情報としてバーコード１５が印字されている。  
一方、納品表示片１３の納品書欄１１には、送り先に送る荷の情報に対応する物品の内容が印字されている。
この実施の形態では一例として、「品名  規格  数量」が印字され、各々に対応するように品名には「Ａ」「Ｂ」、規格には「Ｃ−１」「Ｄ−２１」、数量には「２０００枚ｘ５巻」「１０００枚ｘ５巻」と印字されている。
【００１５】
印字された配送票１４は、納品書欄１１に印字された内容物が梱包された梱包箱１６の側面に、納品表示片１３から配送表示ラベル１２を剥離して、配送表示ラベル１２の側縁に粘着剤５が塗布されていない差込口８を上側に向けて貼付する（貼付工程）。
粘着剤５が塗布されていない差込口８を上側に向けて貼付することにより、上側から納品表示片１３を挿入口８から、納品表示片１３を二つ折りにして差込口８から差し込みすることができる（差込工程）。
納品表示片１３を差込口８から差し込みすると、納品表示片１３が差込口８から突出するので、納品表示片１３の有無の判断や納品表示片１３自体を取り出しやすくなる。
【００１６】
次に、他の例として配送票１７を図４に基づいて説明する。尚、前述の実施の形態と同一の部分には同一の符号を付し、説明を省略する。
配送票１７は、送り先欄９および送り先情報と、送り主欄１０および送り主情報と、を印字された配送表示ラベル１２と、送り先に送る物品の情報に対応する納品書欄１１および納品内容と、受領書としての受領印欄１９および受領情報と、を印字された納品表示片２０とを形成する。尚、納品書欄１１と受領印欄１９との間には、ミシン目２１が形成されている。また、差込口８を形成した短辺縁部６ｃには、粘着微球体１８が塗布されている。
このように形成された配送票１７は、前述同様に梱包体１６に配送表示ラベル１２が貼付され、納品表示片１９が差込口から差し込まれて送り先に送られる。    
送り先では、納品表示片１９を取り出し、受領印欄１８の受領印に押印されてミシン目２０から切り取り受領書の控えとして持ち帰るようにすることができる。
また、差込口８に粘着微球体１８を設けたので、差込口８から差し込んだ納品表示片２０が搬送時に飛び出さないよう仮着することができる。
【００１７】
尚、ラベルに印字する印字方向は任意であるが、差込口側から印字する場合には、反対のラベルを台紙に仮着する粘着剤を塗布された短辺縁部６ｂの一部に非粘着部を形成して、ラベルに皺が発生しないようにしてもよい。
また、ラベルの周縁部分の全域に亘って粘着剤を塗布し、粘着剤が塗布されていない部分
に差込口としてのスリットを形成してもよい。
【００１８】
各構成の数、位置、形状等は上記実施の形態に限定されず、本発明を実施する上で好適な数、位置、形状等にすることができる。
なお、本発明が上記各実施の形態に限定されず、本発明の技術思想の範囲内において、実施の形態は適宜変更され得ることは明らかである。
【図面の簡単な説明】
【００１９】
【図１】（ａ）本発明の配送票の一例を示したラベル面からの平面図である。（ｂ）本発明の配送票の一例を示した台紙面からの平面図である。
【図２】（ａ）同上、配送票に印字した一例を示すラベル面側からの平面図である。（ｂ）同上、配送票に印字した一例を示す台紙面側からの平面図である。
【図３】同上、本発明の配送票の使用形態の一例を示した説明図である。
【図４】（ａ）他の例を示した印字された配送票のラベル面側からの平面図である。（ｂ）他の例を示した印字された配送票の台紙面側からの平面図である。
【符号の説明】
【００２０】
１      配送票
２      台紙
３      ラベル
４      剥離剤
５      粘着剤
６ａ    長辺縁部
６ｂ    短辺縁部  
６ｃ    短辺縁部
８      差込口
１２      配送表示ラベル
１３      納品表示片
１４      配送票
１７      配送票（他の例）
１８      粘着微球体
１９      受領欄
２１      ミシン目
【図１】
2006039427.tif 000003
【図２】
2006039427.tif 000004
【図３】
2006039427.tif 000005
【図４】
2006039427.tif 000006